(57)【要約】【課題】  アンテナの受信感度を高めることができる機器ケースを提供する。【解決手段】  内部にアンテナ８が収容された金属製のケース本体３と、このケース本体３の裏面に取り付けられた金属製の裏蓋５との各内面に、取付凹部１３、１５をそれぞれアンテナ８に対応させて設け、この取付凹部１３、１５にそれぞれ磁性部材１４を設けた。従って、磁性部材１４によってケース本体３と裏蓋５とにアンテナ８で発生した磁界の磁束に伴う渦電流の発生を抑制できるほか、各取付凹部１３、１５によってケース本体３と裏蓋５との各肉厚を薄くすることができ、この各薄肉部分から電波をケース本体３内に進入しやすくでき、且つケース本体３と裏蓋５の電気抵抗を大きくでき、この電気抵抗の増大によってもケース本体３と裏蓋５にアンテナ８で発生した磁界の磁束に伴う渦電流の発生を抑制でき、これらによってアンテナ８の受信感度を高めることができる。【選択図】        図１
2008082989.tif 000002
【特許請求の範囲】
【請求項１】
内部にアンテナが収容された金属製のケース本体と、このケース本体の裏面に取り付けられた金属製の裏蓋とを備えた機器ケースにおいて、
前記ケース本体と前記裏蓋とのうち、少なくとも前記裏蓋の内面に取付凹部を前記アンテナと対応させて設け、この取付凹部に磁性部材を設けたことを特徴とする機器ケース。
【請求項２】
前記磁性部材は、磁性材粉末と樹脂粉末のバインダとを混合して射出成形した上、燒結させたことを特徴とする請求項１に記載の機器ケース。
【請求項３】
内部にアンテナが収容された金属製のケース本体と、このケース本体の裏面に取り付けられた金属製の裏蓋とを備えた機器ケースにおいて、
前記アンテナの近傍に位置する箇所の前記裏蓋の外面に刻印を設けたことを特徴とする機器ケース。
【請求項４】
内部にアンテナが収容された金属製のケース本体と、このケース本体の裏面に取り付けられた金属製の裏蓋とを備えた機器ケースにおいて、
前記ケース本体と前記裏蓋とのうち、少なくとも前記裏蓋は金属粒子の密度が粗く形成されていることを特徴とする機器ケース。
【請求項５】
前記裏蓋は、金属粒子の粉末と樹脂粉末のバインダとを混合して射出成形した上、燒結させたことを特徴とする請求項４に記載の機器ケース。
【請求項６】
内部にアンテナが収容された金属製のケース本体と、このケース本体の裏面に取り付けられた金属製の裏蓋とを備えた機器ケースにおいて、
前記裏蓋に複数のスイッチ部材をそれぞれ前記アンテナと対応させて設けたことを特徴とする機器ケース。
【発明の詳細な説明】
【技術分野】
【０００１】
この発明は、アンテナを内蔵した電子機器の機器ケースに関する。
【背景技術】
【０００２】
例えば、電子腕時計においては、標準時刻電波を受信するアンテナを備え、このアンテナで受信した標準時刻電波に基づいて時刻を修正する電波腕時計が知られている。
この種の電波腕時計では、アンテナの近傍に金属部材があると、標準時刻電波がアンテナに到達しにくくなると共に、アンテナで発生した磁界の磁束が金属部材を通過することで、金属部材に渦電流が発生し、これらによりアンテナの受信感度が低下する。
【０００３】
そこで、従来の電波腕時計では、特許文献１に記載されているように、アンテナの近傍に位置する箇所の金属製のケース本体と金属製の裏蓋との各内面に、それぞれ磁性シートを貼り付け、この磁性シートによって金属製のケース本体と金属製の裏蓋とにアンテナで発生した磁界の磁束に伴う渦電流の発生を抑えることにより、アンテナの受信感度の低下を抑制している。この場合、磁性シートは、磁性材粉末と樹脂粉末のバインダとを練り込んで保護シートで包んだものである。
【特許文献１】特開２００６−１１２８６６
【発明の開示】
【発明が解決しようとする課題】
【０００４】
しかしながら、このような従来の電波腕時計では、アンテナの近傍に位置する箇所の金属製のケース本体と金属製の裏蓋との各内面に、それぞれ磁性シートを単に設けた構成であるから、アンテナの近傍に位置する箇所におけるケース本体と裏蓋との各厚みが厚く、ケース本体と裏蓋との透磁率が低く電気抵抗も小さいため、標準時刻電波がケース本体内に進入しにくいばかりか、アンテナで発生した磁界の磁束に伴ってケース本体と裏蓋とに渦電流が発生しやすくなり、このためアンテナの受信感度を十分に確保することができないという問題がある。
【０００５】
この発明が解決しようとする課題は、アンテナの受信感度を高めることができる機器ケースを提供することである。
【課題を解決するための手段】
【０００６】
この発明は、上記課題を解決するために、次のような構成要素を備えている。
なお、各構成要素には、後述する各実施形態の項で説明される各要素に付されている図面の参照番号などを括弧と共に付す。
【０００７】
請求項１に記載の発明は、図１〜図３に示すように、内部にアンテナ（８）が収容された金属製のケース本体（３）と、このケース本体の裏面に取り付けられた金属製の裏蓋（５）とを備えた機器ケースにおいて、
前記ケース本体と前記裏蓋とのうち、少なくとも前記裏蓋の内面に取付凹部（１５）を前記アンテナと対応させて設け、この取付凹部に磁性部材（１４）を設けたことを特徴とする機器ケースである。
【０００８】
請求項２に記載の発明は、図１〜図３に示すように、前記磁性部材（１４）が、磁性材粉末と樹脂粉末のバインダとを混合して射出成形した上、燒結させたことを特徴とする請求項１に記載の機器ケースである。
【０００９】
請求項３に記載の発明は、図４〜図６に示すように、内部にアンテナ（８）が収容された金属製のケース本体（３）と、このケース本体の裏面に取り付けられた金属製の裏蓋（２１）とを備えた機器ケースにおいて、
前記アンテナの近傍に位置する箇所の前記裏蓋の外面に刻印（２２）を設けたことを特徴とする機器ケースである。
【００１０】
請求項４に記載の発明は、図７および図８に示すように、内部にアンテナ（８）が収容された金属製のケース本体（３）と、このケース本体の裏面に取り付けられた金属製の裏蓋（３１）とを備えた機器ケースにおいて、
前記ケース本体と前記裏蓋とのうち、少なくとも前記裏蓋は金属粒子（３２）の密度が粗く形成されていることを特徴とする機器ケースである。
【００１１】
請求項５に記載の発明は、図７および図８に示すように、前記裏蓋（３１）が、金属粒子（３２）の粉末と樹脂粉末のバインダとを混合して射出成形した上、燒結させたことを特徴とする請求項４に記載の機器ケースである。
【００１２】
請求項６に記載の発明は、図９および図１０に示すように、内部にアンテナ（８）が収容された金属製のケース本体（３）と、このケース本体の裏面に取り付けられた金属製の裏蓋（４１）とを備えた機器ケースにおいて、
前記裏蓋に複数のスイッチ部材（４２）をそれぞれ前記アンテナと対応させて設けたことを特徴とする機器ケースである。
【発明の効果】
【００１３】
請求項１に記載の発明によれば、内部にアンテナが収容された金属製のケース本体と、このケース本体の裏面に取り付けられた金属製の裏蓋とのうち、少なくとも裏蓋の内面に取付凹部をアンテナと対応させて設け、この取付凹部に磁性部材を設けたので、アンテナが電波を受信して磁界を発生させる際、磁性部材によって裏蓋にアンテナで発生した磁界の磁束に伴う渦電流の発生を抑制することができるほか、取付凹部によって金属製の裏蓋の肉厚を薄くすることができるので、裏蓋の肉厚の薄い部分から電波をケース本体に進入しやすくすることができると共に、裏蓋の肉厚の薄い部分によって裏蓋の電気抵抗を大きくすることができ、この電気抵抗の増大によっても、裏蓋にアンテナで発生した磁界の磁束に伴う渦電流の発生を抑制することができ、これらによってアンテナの受信感度を高めることができる。
【００１４】
請求項２に記載の発明によれば、磁性部材は、磁性材粉末と樹脂粉末のバインダとを混合して射出成形した上、燒結させた構成であることにより、アンテナが電波を受信する際、アンテナで発生した誘導起電力による磁界の磁束を磁性部材に沿って集中して通過させることができると共に、アンテナで発生した磁界の磁束に伴って磁性部材に渦電流が発生することがないので、裏蓋における渦電流による損失を大幅に軽減することができるほか、磁性材粉末を燒結させた構成であることにより、磁性部材の強度を確保することができる。このため、この磁性部材を裏蓋の取付凹部に固着することにより、取付凹部によって裏蓋の肉厚が薄くても、磁性部材によって裏蓋全体の強度を十分に確保することができる。
【００１５】
請求項３に記載の発明によれば、内部にアンテナが収容された金属製のケース本体と、この本体ケースの裏面に取り付けられた金属製の裏蓋とを備え、アンテナの近傍に位置する箇所の裏蓋の外面に刻印を設けたので、この刻印の箇所における金属製の裏蓋の厚みを薄くすることができる。これにより、裏蓋の肉厚の薄い部分から電波をケース本体内に進入しやすくすることができると共に、裏蓋の肉厚の薄い部分によって裏蓋の電気抵抗を大きくすることができ、この電気抵抗の増大によって裏蓋にアンテナで発生した磁界の磁束に伴う渦電流の発生を抑制することができ、これらによりアンテナの受信感度を高めることができる。
【００１６】
請求項４に記載の発明によれば、内部にアンテナが収容された金属製のケース本体と、このケース本体の裏面に取り付けられた金属製の裏蓋とのうち、少なくとも裏蓋は金属粒子の密度が粗く形成されているので、裏蓋を金属で形成しても、裏蓋の金属粒子の隙間からケース本体内に電波を進入しやすくすることができると共に、金属粒子の密度が粗いことにより裏蓋全体の電気抵抗を大きくすることができ、この電気抵抗の増大によって金属製の裏蓋にアンテナで発生した磁界の磁束に伴う渦電流の発生を抑制することができ、これらによりアンテナの受信感度を高めることができる。
【００１７】
請求項５に記載の発明によれば、裏蓋が、金属粒子の粉末と樹脂粉末のバインダとを混合して射出成形した上、燒結させた構成であることにより、樹脂粉末のバインダが燒結時に蒸発して飛散するため、金属粒子の密度を大幅に粗くすることができる。このため、裏蓋の金属粒子の隙間からケース本体内に電波を、より一層、進入しやすくすることができると共に、裏蓋全体の電気抵抗を十分に大きくすることができるので、アンテナで発生した磁界の磁束に伴って裏蓋に渦電流が発生するのを大幅に抑制することができ、これらによりアンテナの受信感度を高めることができるほか、金属粒子の粉末を燒結させた構成であるから、裏蓋全体の強度を十分に確保することができる。
【００１８】
請求項６に記載の発明によれば、内部にアンテナが収容された金属製のケース本体と、このケース本体の裏面に取り付けられた金属製の裏蓋とを備え、裏蓋に複数のスイッチ部材をそれぞれアンテナと対応させて設けたので、この複数のスイッチ部材における部品間の隙間を通して電波をケース本体内に進入しやすくすることができ、これによりアンテナの受信感度を高めることができる。
【発明を実施するための最良の形態】
【００１９】
（実施形態１）
以下、図１〜図３を参照して、この発明を電波腕時計に適用した実施形態１について説明する。
図１はこの発明の電波腕時計の要部を破断して示した拡大側面図、図２は図１の裏蓋を示した平面図、図３は図２のＡ−Ａ矢視における拡大断面図である。
この電波腕時計は、図１に示すように、腕時計ケース１を備えている。
【００２０】
この腕時計ケース１は、図１に示すように、上下に開口されて内部に時計モジュール２を収容するケース本体３と、このケース本体３の上部内周面に装着された時計ガラス４と、ケース本体３の下部に取り付けられた裏蓋５とを備えている。この場合、時計モジュール２は、ケース本体３内に配置されるハウジング６を備えている。このハウジング６には、時刻を指示表示する時計ムーブメント７、および標準時刻電波を受信するアンテナ８が組み付けられているほか、時計機能に必要な各種の電子部品（図示せず）が組み込まれている。
【００２１】
時計ムーブメント７は、図１に示すように、指針軸９を備え、この指針軸９がハウジング６の上面に設けられた文字板１０を通して上方に突出し、この突出した指針軸９の上端部に指針１１が取り付けられ、この指針１１が文字板１０の上方を運針することにより、時刻を指示するように構成されている。また、アンテナ８は、バーアンテナであり、アモルファスやフェライトなどの磁性部材で形成された棒状のコアと、このコアの周囲に銅などの導線を巻き付けたコイルとを備え、電波による磁界中に置かれると、その磁界による磁束が周囲空間よりも透磁率の高いコアに集中してコイルに鎖交し、このコイルに磁束変化を妨げる向きに磁界を発生させるように誘導起電力が生じる構成になっている。
【００２２】
また、時計モジュール２の回路構成は、図示しないが、回路全般を制御する制御部と、アンテナ８のコイルに発生した誘導起電力を検出して標準時刻のデータを取り出す受信回路と、発信器に基づいて現在時刻を計時する計時回路とを有し、受信回路で取り出された標準時刻データに基づいて制御部が計時回路による計時時刻を修正すると共に、時計ムーブメント７を制御して修正された現在時刻を指針１１が指示するように構成されている。
【００２３】
ところで、ケース本体３は、ステンレスやチタンなどの強度の高い金属で形成されており、このケース本体３の内部における時計ガラス４の下側には、図１に示すように、見切り部材１２がケース本体３の内周面に沿って配置されている。また、アンテナ８の近傍に位置する箇所のケース本体３の内周面には、図１に示すように、取付凹部１３がアンテナ８の側面に対応して設けられており、この取付凹部１３内には、後述する磁性部材１４が設けられている。
【００２４】
一方、裏蓋５は、ケース本体３と同様、ステンレスやチタンなどの強度の高い金属でほぼ円板状に形成されている。この裏蓋５の内面におけるアンテナ８の近傍位置する箇所には、図１〜図３に示すように、取付凹部１５がアンテナ８の下面に対応して設けられており、この取付凹部１５内にも、磁性部材１４が設けられている。
【００２５】
このケース本体３と裏蓋５との各取付凹部１３、１５に設けられた磁性部材１４は、フェライトなどの磁性材粉末に樹脂粉末のバインダを混合して射出成形した後、燒結させることにより、樹脂粉末のバインダを蒸発させて飛散させた板状のものであり、透磁率が高く導電率の小さく、図１〜図３に示すように、ケース本体３と裏蓋５との各取付凹部１３、１５内に配置され、この状態で加圧・加熱することにより、各取付凹部１３、１５内に一体化されて固定されている。
【００２６】
このような腕時計ケース１によれば、内部にアンテナ８が収容された金属製のケース本体３と、このケース本体３の裏面に取り付けられた金属製の裏蓋５との各内面に、取付凹部１３、１５をそれぞれアンテナ８に対応させて設け、この取付凹部１３、１５にそれぞれ磁性部材１４を設けたので、アンテナ８が標準時刻電波を受信して磁界を発生させる際、磁性部材１４によってケース本体３と裏蓋５とにアンテナ８で発生した磁界の磁束に伴う渦電流の発生を抑制することができる。
【００２７】
すなわち、磁性部材１４は、磁性材粉末に樹脂粉末のバインダを混合して射出成形した上、燒結させた構成であるから、アンテナ８が電波を受信する際、アンテナ８で発生した誘導起電力による磁界の磁束を磁性部材１４に沿って集中して通過させることができると共に、この磁性部材１４にアンテナ８で発生した磁界の磁束に伴う渦電流が発生することがないため、ケース本体３および裏蓋５における渦電流による損失を確実に防ぐことができる。
【００２８】
また、ケース本体３と裏蓋５とは、磁性部材１４がそれぞれ設けられる各取付凹部１３、１５によって、ケース本体３と裏蓋５との各肉厚が薄く形成されているので、ケース本体３と裏蓋５とのうち、特に裏蓋５の肉厚の薄い部分から標準時刻電波をケース本体３内に進入しやすくすることができると共に、ケース本体３と裏蓋５とにおける各肉厚の薄い部分により、ケース本体３と裏蓋５との各電気抵抗を大きくすることができる。このため、ケース本体３および裏蓋５の電気抵抗の増大によっても、金属製のケース本体３と金属製の裏蓋５にアンテナ８で発生した磁界の磁束に伴う渦電流の発生を抑制することができ、これらによってアンテナ８の受信感度を高めることができる。
【００２９】
この場合、磁性部材１４は、フェライトなどの磁性材粉末に樹脂粉末のバインダを混合して射出成形した後、燒結させた構成であるから、磁性部材１４の強度を確保することができる。また、この磁性部材１４は、ケース本体３と裏蓋５との各取付凹部１３、１５内に配置された状態で、加圧・加熱することにより、各取付凹部１３、１５内に一体化されて固定されているので、ケース本体３と裏蓋５との各肉厚が取付凹部１３、１５によって薄くなっても、磁性部材１４によってケース本体３と裏蓋５との強度を十分に確保することができる。
【００３０】
（実施形態２）
次に、図４〜図６を参照して、この発明を電波腕時計に適用した実施形態２について説明する。なお、図１〜図３に示された実施形態１と同一部分には同一符号を付して説明する。
この電波腕時計の腕時計ケース２０は、金属製の裏蓋２１の裏面に刻印２２を設けた構成であり、これ以外は実施形態１とほぼ同じ構成になっている。
【００３１】
すなわち、刻印２２は、図４〜図６に示すように、製品番号や機種名、企業名などを凹溝によって現したものであり、図４に示すように、アンテナ８の近傍に位置する箇所の裏蓋２１の裏面（図５では下面）に集中して設けられている。この場合にも、裏蓋２１は、ケース本体３と同様、ステンレスやチタンなどの強度の高い金属でほぼ円板状に形成されている。また、この腕時計ケース２０においても、図示しないが、ケース本体３の内周面には、実施形態１と同様、取付凹部１３がアンテナ８の側面に対応して設けられており、この取付凹部１３内には、磁性部材１４が設けられている。
【００３２】
このような腕時計ケース２０によれば、内部にアンテナ８が収容された金属製のケース本体３と、この本体ケース３の裏面に取り付けられた金属製の裏蓋２１とを備え、アンテナ８の近傍に位置する箇所の裏蓋２１の裏面（図５では下面）に刻印２２を集中させて設けたので、図５に示すように、刻印２２が設けられた箇所の裏蓋２１の厚みを薄くすることができる。このため、刻印２２が設けられた裏蓋２１の肉厚の薄い部分から標準時刻電波をケース本体３内に進入しやすくすることができると共に、裏蓋２１の肉厚の薄い部分によって裏蓋２１の電気抵抗を大きくすることができ、この電気抵抗の増大によって金属製の裏蓋２１にアンテナ８で発生した磁界の磁束に伴う渦電流の発生を抑制することができ、これらによってアンテナ８の受信感度を高めることができる。
【００３３】
（実施形態３）
次に、図７および図８を参照して、この発明を電波腕時計に適用した実施形態３について説明する。この場合にも、図１〜図３に示された実施形態１と同一部分に同一符号を付して説明する。
この電波腕時計の腕時計ケース３０は、アンテナ８が収容される金属製のケース本体３の下面に取り付けられる金属製の裏蓋３１の材質が、実施形態１と異なる構成であり、これ以外は実施形態１とほぼ同じ構成になっている。
【００３４】
すなわち、この裏蓋３１は、金属粒子３２の粉末に樹脂粉末のバインダを混合して射出成形した後、燒結させることにより、樹脂粉末のバインダを蒸発させて飛散させたものであり、全体がほぼ円板状に形成されている。従って、この裏蓋３１は、図８に示すように、金属粒子３２の密度が低く、金属粒子３２間に隙間が生じ、これにより電気抵抗が大きく、標準時刻電波が進入しやすい構成になっている。この場合にも、ケース本体３の内周面には、実施形態１と同様、取付凹部１３がアンテナ８の側面に対応して設けられており、この取付凹部１３内には、磁性部材１４が設けられている。
【００３５】
このような腕時計ケース３０によれば、内部にアンテナ８が収容された金属製のケース本体３の下面に取り付けられた裏蓋３１が金属粒子３２の密度を粗くした構成であるから、裏蓋３１を金属で形成しても、裏蓋３１の金属粒子３２間からケース本体３内に標準時刻電波を進入しやすくすることができると共に、金属粒子３２の密度が粗いことにより裏蓋３１全体の電気抵抗を大きくすることができ、この電気抵抗の増大によって金属製の裏蓋３１にアンテナ８で発生した磁界の磁束に伴う渦電流の発生を抑制することができ、これらによりアンテナ８の受信感度を高めることができる。
【００３６】
この場合、裏蓋３１は、金属粒子３２の粉末に樹脂粉末のバインダを混合して射出成形した上、燒結させることにより、樹脂粉末のバインダを蒸発させて飛散させたものであることにより、金属粒子３２の密度を大幅に粗くすることができる。このため、金属粒子３２間からケース本体３内に標準時刻電波を進入しやすくすることができると共に、裏蓋３１全体の電気抵抗を十分に大きくすることができるので、アンテナ８で発生した磁界の磁束に伴って裏蓋３１に渦電流が発生するのを大幅に抑制することができ、これらによってアンテナ８の受信感度を高めることができるほか、金属粒子３２の粉末を燒結させた構成であるから、金属粒子３２の密度が粗くても、裏蓋３１の強度を十分に確保することができる。
【００３７】
なお、上記実施形態３では、裏蓋３１が、金属粒子３２の粉末と樹脂粉末のバインダとを混合して射出成形した後、燒結させることにより、樹脂粉末のバインダを蒸発させて飛散させたものである場合について述べたが、これに限らず、例えばケース本体３も、金属粒子の粉末と樹脂粉末のバインダとを混合して射出成形した後、燒結させることにより、樹脂粉末のバインダを蒸発させて飛散させたものであっても良い。このようなケース本体３においても、金属粒子の密度が粗く、金属粒子間に隙間が生じ、これにより標準時刻電波を進入しやすくすることができると共に、ケース本体３全体の電気抵抗を大きくすることができるので、裏蓋３１と同様、アンテナ８の受信感度を高めることができる。
【００３８】
（実施形態４）
次に、図９および図１０を参照して、この発明を電波腕時計に適用した実施形態４について説明する。この場合にも、図１〜図３に示された実施形態１と同一部分に同一符号を付して説明する。
この電波腕時計の腕時計ケース４０は、アンテナ８が収容される金属製のケース本体３の裏面に取り付けられる金属製の裏蓋４１に、複数のスイッチ部材４２をそれぞれアンテナ８に対応させて設けた構成であり、これ以外は実施形態１とほぼ同じ構成になっている。すなわち、複数のスイッチ部材４２は、図９に示すように、アンテナ８の近傍に位置する箇所の裏蓋４１にそれぞれアンテナ８の中間部および両端部に対応して設けられている。
【００３９】
この場合、各スイッチ部材４２は、図１０に示すように、裏蓋４１に設けられた貫通孔４１ａ内にパイプ４３を嵌め込み、このパイプ４３内に軸部４４を挿入すると共に、この軸部４４の外周面にリング状のパッキン４５を取り付け、このパッキン４５がパイプ４３の内周面に圧接した状態で、軸部４４がパイプ４３内にスライド可能に設けられた構成になっている。
【００４０】
また、パッキン４５は、ゴムなどの合成樹脂で形成されており、パイプ４３および軸部４４は、金属で形成されていることが好ましいが、硬質の合成樹脂で形成されていても良い。なお、この腕時計ケース４０においても、図示しないが、ケース本体３の内周面には、実施形態１と同様、取付凹部１３がアンテナ８の側面に対応して設けられており、この取付凹部１３内には、磁性部材１４が設けられている。
【００４１】
このような腕時計ケース４０によれば、内部にアンテナ８が収容された金属製のケース本体３と、このケース本体３の裏面に取り付けられた金属製の裏蓋４１とを備え、この裏蓋４１に複数のスイッチ部材４２をそれぞれアンテナ８に対応させて設けたので、この複数のスイッチ部材４２における各部材の隙間、つまり裏蓋４１の貫通孔４１ａ内に配置されたパイプ４３と軸部４４との隙間、およびパイプ４３と貫通孔４１ａとの隙間から標準時刻電波を進入しやすくすることができ、これによりアンテナ８の受信感度を高めることができる。
【００４２】
なお、上記実施形態１〜４およびその変形例では、電波腕時計に適用した場合について述べたが、必ずしも腕時計である必要はなく、トラベルウオッチ、目覚まし時計、置き時計、掛け時計などの各種の時計に適用することができるほか、これに限らず、携帯電話機や携帯情報端末機などの電子機器にも広く適用することができる。
【図面の簡単な説明】
【００４３】
【図１】この発明を適用した電波腕時計において要部を破断して示した拡大側面部図である。（実施形態１）
【図２】図１の裏蓋を示した平面図である。
【図３】図２のＡ−Ａ矢視における拡大断面図である。
【図４】この発明を適用した電波腕時計おける裏蓋の要部を示した拡大平面図である。（実施形態２）
【図５】図４のＢ−Ｂ矢視における拡大断面図である。
【図６】図４の裏蓋を示した拡大裏面図である。
【図７】この発明を適用した電波腕時計において要部を破断して示した拡大側面部図である。（実施形態３）
【図８】図７の裏蓋におけるＡ部を示した拡大断面図である。
【図９】この発明を適用した電波腕時計における裏蓋を示した拡大平面図である。（実施形態４）
【図１０】図９のＣ−Ｃ矢視における拡大断面図である。
【符号の説明】
【００４４】
１、２０、３０、４０  腕時計ケース
２  時計モジュール
３  ケース本体
４  時計ガラス
５、２１、３１、４１  裏蓋
８  アンテナ
１３、１５  取付凹部
１４  磁性部材
２２  刻印
３２  金属粒子
４２  スイッチ部材
【図１】
2008082989.tif 000003
【図２】
2008082989.tif 000004
【図３】
2008082989.tif 000005
【図４】
2008082989.tif 000006
【図５】
2008082989.tif 000007
【図６】
2008082989.tif 000008
【図７】
2008082989.tif 000009
【図８】
2008082989.tif 000010
【図９】
2008082989.tif 000011
【図１０】
2008082989.tif 000012